(57)【特許請求の範囲】
【請求項１】
内鍋と、内鍋を取り出し可能に収容する炊飯器本体と、炊飯器本体上部の開口を覆蓋する蓋体と、炊飯器本体の下部にあって内鍋を加熱する加熱手段とからなり、上記蓋体は、その上板側に操作部および透明な表示窓を有する操作パネル、該操作パネル下方側の密閉空間内に当該操作パネルの操作部に対応した操作基板および透明な表示窓に対応した表示手段を有するとともに、上記操作パネルの上記透明な表示窓を除く部分に、上記透明な表示窓部分に比べて外部に対する断熱性の低い低断熱部を設け、同低断熱部分で集中的に水分を凝縮させることにより、上記透明な表示窓部分に曇りを発生させないようにしてなる電気炊飯器であって、上記低断熱部は、透明な表示窓部分よりも断熱性の低い薄肉部よりなることを特徴とする電気炊飯器。
【請求項２】
内鍋と、内鍋を取り出し可能に収容する炊飯器本体と、炊飯器本体上部の開口を覆蓋する蓋体と、炊飯器本体の下部にあって内鍋を加熱する加熱手段とからなり、上記蓋体は、その上板側に操作部および透明な表示窓を有する操作パネル、該操作パネル下方側の密閉空間内に当該操作パネルの操作部に対応した操作基板および透明な表示窓に対応した表示手段を有するとともに、上記操作パネルの上記透明な表示窓を除く部分に、上記透明な表示窓部分に比べて外部に対する断熱性の低い低断熱部を設け、同低断熱部分で集中的に水分を凝縮させることにより、上記透明な表示窓部分に曇りを発生させないようにしてなる電気炊飯器であって、上記低断熱部は、透明な表示窓部分よりも断熱性の低いグリル部よりなることを特徴とする電気炊飯器。
【請求項３】
内鍋と、内鍋を取り出し可能に収容する炊飯器本体と、炊飯器本体上部の開口を覆蓋する蓋体と、炊飯器本体の下部にあって内鍋を加熱する加熱手段とからなり、上記蓋体は、その上板側に操作部および透明な表示窓を有する操作パネル、該操作パネル下方側の密閉空間内に当該操作パネルの操作部に対応した操作基板および透明な表示窓に対応した表示手段を有するとともに、上記操作パネルの上記透明な表示窓を除く部分に、上記透明な表示窓部分に比べて外部に対する断熱性の低い低断熱部を設け、同低断熱部分で集中的に水分を凝縮させることにより、上記透明な表示窓部分に曇りを発生させないようにしてなる電気炊飯器であって、上記低断熱部は、透明な表示窓部分よりも伝熱性が高い別部材よりなることを特徴とする電気炊飯器。
【発明の詳細な説明】
【技術分野】
【０００１】
本願発明は、蓋体側に操作パネルおよび表示窓等を備えた電気炊飯器の蓋体部分の構成に関するものである。
【背景技術】
【０００２】
一般に電気炊飯器は、内鍋と、該内鍋を取り出し可能に収容する炊飯器本体と、該炊飯器本体の上部にヒンジ部を介して開閉可能に設けられ、閉状態において上記収容された内鍋の上部を覆う蓋体と、上記炊飯器本体の下部にあって上記内鍋の下部を加熱する第１の加熱手段と、必要に応じ、上記蓋体の下部にあって上記内鍋の上部を加熱する第２の加熱手段とを備えて構成されている（例えば特許文献１の構成を参照）。
【０００３】
そして、最近では、上記蓋体側に各種操作キーや透明な液晶表示窓を有する操作パネル（銘板）を設置して、上方側から見やすく、かつ操作しやすくしたものが多くなって来ている。
【０００４】
このようなタイプのものでは、当然ながら蓋体の内側に操作基板やマイコン基板のような電気基板および液晶パネルが設けられ、同電気基板が可撓性のあるフラットケーブル等の接続用配線を介して炊飯器本体側の制御基板等の電気基板と制御可能に接続される。
【０００５】
ところが、このような構成の電気炊飯器の場合、炊飯時（沸とう時）に蓋体下部の温度が高くなることから、上述した操作基板や液晶パネル等を有する密閉空間内の水分が蒸発し、液晶パネルの表示面に対応する操作パネル側の透明な表示窓部分で外気により冷やされて曇り（くもり）を生じる恐れがある。このような曇りが生じると、上記液晶パネルの各種情報表示面の表示内容が見にくくなるだけでなく、操作パネル部分の見映えをも悪くする。
【０００６】
この現象は、上記のように蓋体側に第２の加熱手段を有する場合には、さらに顕著になる。
【０００７】
このような事情から、従来、上記液晶パネルを設置する設置空間を密閉空間としたり、また液晶パネルを設置する空間を密閉空間として、さらに同空間内にシリカゲル等の水分吸着用の乾燥剤（吸湿剤）を封入し、同空間内の湿度を低下させるようにしたものなどが提案されている（例えば特許文献２，３の構成を参照）。
【０００８】
また、透明樹脂の上面に透明シートを一体成形することによって、上記操作パネルの透明な表示窓部分を材質の異なる複合材に構成するとともに、上記透明な表示窓部分と上記液晶パネルとの間に仕切り部材と防曇シートを設け、上記複合材と仕切り部材との間、および仕切り部材と防曇シートとの間にそれぞれ密閉した空間部を形成し、それらによって液晶パネル側の断熱性を高くした複雑な構成のものも提案されている（例えば特許文献４の構成を参照）。
【先行技術文献】
【特許文献】
【０００９】
【特許文献１】特開２００７−３２５８６８号公報
【特許文献２】特開２０００−２３７０４３号公報
【特許文献３】特開２０１０−７５４５８号公報
【特許文献４】特開平７−６７７６８号公報
【発明の概要】
【発明が解決しようとする課題】
【００１０】
しかし、上記特許文献２，３のように、単に液晶パネルや操作基板を所定の密閉空間内に密閉し、同密閉空間内の水分を乾燥剤で吸着させたとしても、一旦吸着された水分（特に飽和状態まで吸着された水分）は上記炊飯時の加熱によって再び脱着されて、上記密閉空間内に蒸発せしめられる。
【００１１】
したがって、乾燥剤は、結局のところ外部と密閉空間内部との温度差が小さい非炊飯時には有効であっても、外部と密閉空間内部との温度差が大きくなる炊飯時には有効に作用せず、実質的には曇りが解消されない。
【００１２】
また、特許文献４のように、操作パネルの透明な表示窓部分を材質の異なる複合材で形成し、透明樹脂の上面に透明シートを一体に成形するとともに、同透明な表示窓部分と上記液晶ディスプレイとの間に仕切り部材と防曇シートを設け、上記複合材と仕切り部材との間、および仕切り部材と防曇シートとの間にそれぞれ密閉した空間部を形成したものでは、一応防曇効果が期待されるものの、余りにも構成が複雑で、大幅にコストがアップする問題がある。また、透明な表示窓部分の光の透過性、屈折度合を高精度に設定することが必要で、安価な機種には採用することができない。
【００１３】
本願発明は、このような問題を解決するためになされたもので、操作パネルの上記透明な表示窓を除く部分に上記透明な表示窓部分よりも外部との断熱性の低い部分を設け、上記透明な表示窓以外の断熱性の低い部分で集中的に水分を凝縮させることにより、上記透明な表示窓部分に「くもり」を生じさせないようにした電気炊飯器を提供することを目的とするものである。
【課題を解決するための手段】
【００１４】
本願各発明は、上記の目的を達成するために、それぞれ次のような課題解決手段を備えて構成されている。
（１）請求項１記載の発明
この発明の電気炊飯器は、内鍋と、内鍋を取り出し可能に収容する炊飯器本体と、炊飯器本体上部の開口を覆蓋する蓋体と、炊飯器本体の下部にあって内鍋を加熱する加熱手段とからなり、上記蓋体は、その上板側に操作部および透明な表示窓を有する操作パネル、該操作パネル下方側の密閉空間内に当該操作パネルの操作部に対応した操作基板および透明な表示窓に対応した表示手段を有するとともに、上記操作パネルの上記透明な表示窓を除く部分に、上記透明な表示窓部分に比べて外部に対する断熱性の低い低断熱部を設け、同低断熱部分で集中的に水分を凝縮させることにより、上記透明な表示窓部分に曇りを発生させないようにしてなる電気炊飯器であって、上記低断熱部は、透明な表示窓部分よりも断熱性の低い薄肉部よりなることを特徴としている。
【００１５】
上記のような構成によると、蓋体内側の表示手段に対応する操作パネルの透明な表示窓部分では相対的に断熱性が高くなり、密閉空間内における蒸発水分の凝縮が生じにくくなる一方、その他の断熱性の低い低断熱部部分では外部からの冷却により、集中的に蒸発水分の凝縮が生じるようになる。このため、蓋体内側の表示手段に対応する操作パネルの透明な表示窓部分内側の湿度は低下し、しかも同部分の断熱性が高いこともあって、同部分には、殆ど「くもり」が生じなくなる。
【００１６】
この場合、同じ材質の操作パネル部分でも、肉厚の厚い部分と薄い部分とでは、当然に外部との断熱性が異なり、肉厚の薄い部分では厚い部分に比べて断熱性が低くなり、外部からの冷却を受けやすくなる。
【００１７】
したがって、上記のように、透明な表示窓以外の所定の部分を薄肉部として、特に断熱性の低い部分を形成すると、同部分で集中的に水分を凝縮させることができるようになり、上記透明な表示窓部分に対応する部分の湿度を下げて、効果的に透明な表示窓部分に「くもり」を生じさせないようにすることができる。
（２）請求項２記載の発明
この発明の電気炊飯器は、内鍋と、内鍋を取り出し可能に収容する炊飯器本体と、炊飯器本体上部の開口を覆蓋する蓋体と、炊飯器本体の下部にあって内鍋を加熱する加熱手段とからなり、上記蓋体は、その上板側に操作部および透明な表示窓を有する操作パネル、該操作パネル下方側の密閉空間内に当該操作パネルの操作部に対応した操作基板および透明な表示窓に対応した表示手段を有するとともに、上記操作パネルの上記透明な表示窓を除く部分に、上記透明な表示窓部分に比べて外部に対する断熱性の低い低断熱部を設け、同低断熱部分で集中的に水分を凝縮させることにより、上記透明な表示窓部分に曇りを発生させないようにしてなる電気炊飯器であって、上記低断熱部は、透明な表示窓部分よりも断熱性の低いグリル部よりなることを特徴としている。
【００１８】
上記のような構成によると、蓋体内側の表示手段に対応する操作パネルの透明な表示窓部分では相対的に断熱性が高くなり、密閉空間内における蒸発水分の凝縮が生じにくくなる一方、その他の断熱性の低い低断熱部部分では外部からの冷却により、集中的に蒸発水分の凝縮が生じるようになる。このため、蓋体内側の表示手段に対応する操作パネルの透明な表示窓部分内側の湿度は低下し、しかも同部分の断熱性が高いこともあって、同部分には、殆ど「くもり」が生じなくなる。
【００１９】
この場合、同じ厚さの操作パネル部分でも、断熱性の高い部分と断熱性の低い部分とを形成すると、断熱性の低い部分では断熱性の高い部分に比べて、外部からの冷却を受けやすくなる。
【００２０】
したがって、上記透明な表示窓以外の所定の部分を、上記のようにグリル構造として特に断熱性を低くすると、同部分で特に集中的に水分を凝縮させることができるようになり、効果的に透明な表示窓部分に「くもり」を生じさせないようにすることができる。
（３）請求項３記載の発明
この発明の電気炊飯器は、内鍋と、内鍋を取り出し可能に収容する炊飯器本体と、炊飯器本体上部の開口を覆蓋する蓋体と、炊飯器本体の下部にあって内鍋を加熱する加熱手段とからなり、上記蓋体は、その上板側に操作部および透明な表示窓を有する操作パネル、該操作パネル下方側の密閉空間内に当該操作パネルの操作部に対応した操作基板および透明な表示窓に対応した表示手段を有するとともに、上記操作パネルの上記透明な表示窓を除く部分に、上記透明な表示窓部分に比べて外部に対する断熱性の低い低断熱部を設け、同低断熱部分で集中的に水分を凝縮させることにより、上記透明な表示窓部分に曇りを発生させないようにしてなる電気炊飯器であって、上記低断熱部は、透明な表示窓部分よりも伝熱性の高い別部材よりなることを特徴としている。
【００２１】
上記のような構成によると、蓋体内側の表示手段に対応する操作パネルの透明な表示窓部分では相対的に断熱性が高くなり、密閉空間内における蒸発水分の凝縮が生じにくくなる一方、その他の断熱性の低い低断熱部部分では外部からの冷却により、集中的に蒸発水分の凝縮が生じるようになる。このため、蓋体内側の表示手段に対応する操作パネルの透明な表示窓部分内側の湿度は低下し、しかも同部分の断熱性が高いこともあって、同部分には、殆ど「くもり」が生じなくなる。
【００２２】
この場合、同じ厚さの操作パネル部分でも、伝熱性の高い材質部分と伝熱性の低い材質部分とを形成すると、当然に外部との断熱性が異なるようになり、伝熱性の高い材質部分では伝熱性の低い材質部分に比べて断熱性が低くなり、外部からの冷却を受けやすくなる。
【００２３】
したがって、上記透明な表示窓以外の所定の部分の材質を、上記のように部分的に伝熱性の高い別部材（例えば金属材）として局部的に断熱性の低い部分を形成すると、同部分で集中的に水分を凝縮させることができるようになり、効果的に透明な表示窓部分に「くもり」を生じさせないようにすることができる。
【発明の効果】
【００２４】
以上の結果、本願発明によると、従来だと操作パネルの透明な表示窓部分に生じる恐れのあった「くもり」を略確実に回避することができるようになる。
【００２５】
しかも、同発明の構成では、操作パネルの一部の部分的な加工のみで足り、その構成は簡単で部品点数の増大もないため、殆どコストをかけずに実現することができる。
【図面の簡単な説明】
【００２６】
【図１】本願発明の実施の形態１に係る電気炊飯器の外部形態を示す斜視図である。
【図２】同電気炊飯器の左右方向中央部で前後方向に切断した断面図である。
【図３】同電気炊飯器の操作パネル部分の平面図である。
【図４】同電気炊飯器の乾燥剤設置部の周囲構造を示す斜視図である。
【図５】同電気炊飯器の電気基板および液晶パネル収納ボックス部分の構成を示す断面図（図３のＩ−Ｉ）である。
【図６】同電気炊飯器の操作パネル透明窓部分の構成を示す拡大断面図である。
【図７】本願発明の実施の形態２に係る電気炊飯器の電気基板および液晶パネル収納ボックス部分の構成を示す断面図である。
【図８】本願発明の実施の形態３に係る電気炊飯器の操作パネル透明窓部分の構成を示す拡大断面図である。
【図９】本願発明の実施の形態４に係る電気炊飯器の操作パネル透明窓部分の構成を示す拡大断面図である。
【図１０】本願発明の実施の形態５に係る電気炊飯器の操作パネル部分の平面図である。
【図１１】同電気炊飯器の乾燥剤設置部とそれに対応する操作パネル側の構造を示す断面図（図１０のＩＩ−ＩＩ）である。
【図１２】本願発明の実施の形態６に係る電気炊飯器の乾燥剤設置部とそれに対応する操作パネル側の構造を示す断面図である。
【図１３】本願発明の実施の形態７に係る電気炊飯器の乾燥剤設置部における乾燥剤とその周囲構造を示す斜視図である。
【図１４】同電気炊飯器の乾燥剤設置部における乾燥剤部分の構造を示す断面図である。
【図１５】本願発明の実施の形態８に係る電気炊飯器の操作パネルの透明窓部分の構成を示す拡大断面図である。
【発明を実施するための形態】
【００２７】
＜実施の形態１＞
図１〜図６は、本願発明の実施の形態１に係る電気炊飯器の炊飯器本体および要部の構成を示している。
【００２８】
（炊飯器本体全体の構成）
この電気炊飯器では、先ず図１〜図３に示すように、例えば内鍋（飯器ないし保温容器）３として、非金属材料からなる蓄熱性の高い鍋（例えば、セラミック製の土鍋）が一例として採用されており、その底部３ａの中央面（フラット面部）および同底部３ａ外周の湾曲面部（コーナー部）３ｂには、それぞれ内部に誘起されるうず電流によって自己発熱が可能な、例えば銀ペースト等の金属製の第１，第２の誘導発熱体Ｇ１，Ｇ２が設けられている。
【００２９】
そして、この電気炊飯器では、同構成の内鍋３と、該内鍋３を任意に収納セットし得るように形成された下部側合成樹脂製の皿状の保護枠４ａおよび上部側金属製の筒状壁４ｃよりなる内ケース４と、該内ケース４を保持する外部筺体である合成樹脂製の有底筒状の外ケース５と、該外ケース５の下部に一体に嵌合された合成樹脂製の底ケース１３と、上記外ケース５と上記内ケース４とを合成樹脂製の肩部材１０により一体化して形成された炊飯器本体１の上部に開閉可能に設けられた蓋体２とから構成されている。
【００３０】
一方、内ケース４の底壁部である皿状の保護枠４ａの下方側には、フェライトコア収納部を備えたコイルカバー（コイル台）６が設けられおり、その下部部分にはフェライトコアを配置し、またそれらの間には、上記内鍋３の底部３ａの中央部側フラット面部と外周部側湾曲面部（コーナー部）３ｂの上記第１，第２の２組の誘導発熱体Ｇ１，Ｇ２位置に対応して各々リッツ線が同心状に巻成された第１，第２の２組のワークコイルＣ１，Ｃ２が設けられており、それらへの通電時には上記内鍋３の上記第１，第２の誘導発熱体Ｇ１，Ｇ２にうず電流を誘起して、上記内鍋３を効率良く加熱するようになっている。
【００３１】
上記合成樹脂製の外ケース５の後部側は、平面視略Ｈ形の形状に成型されていて（図示省略）、前後方向に平行な左右の側壁部間後部に位置して左右に延びる仕切壁２４が設けられている。そして、この仕切壁２４の左右両端側には、後方側から平面視略コ字形の外ケースカバー５ｂの側壁部前端が嵌合（係合）されるようになっている。
【００３２】
上記外ケース５の仕切壁２４と上記外ケースカバー５ｂとの間には、上記内ケース４側と仕切られる形で、シール性の高い電装品収納空間が形成されている。そして、この電装品収納空間内に、ワークコイルＣ１，Ｃ２、保温ヒータＨ１等を駆動制御するＩＧＢＴやヒータ駆動回路、電源電圧整流用のダイオードブリッジよりなる整流回路、平滑回路などを備えた第１の電気基板（制御基板）Ｂ１および該第１の電気基板Ｂ１を保持した電気基板カバー（制御基板カバー）７が上下方向に立設する状態で設けられている。
【００３３】
この第１の電気基板Ｂ１上には、ＩＧＢＴ等の発熱部品、その他の必要部品が設けられているとともに、接続用配線であるフレキシブルなフラットケーブルを介して後述する蓋体２側の第２の電気基板（マイコン基板）Ｂ２が接続されている。
【００３４】
上記電気基板カバー７は、例えば上記外ケース５の仕切壁２４に対して着脱可能な状態で取り付けられるようになっていて、その下部側には保護枠４ａの下面側ワークコイルＣ１，Ｃ２部分および第１の電気基板Ｂ１のヒートシンク２５の放熱フィン部分に冷却用の空気を流す第１の送風ファン１１Ａが、また左右両側には、上記内鍋３の第１，第２の発熱体Ｇ１，Ｇ２部分に向けて直接冷却空気を送風する第２，第３の送風ファン１１Ｂ，１１Ｃ（但し、１１Ｂは図２の断面手前側で見えないため省略している）が、それぞれ一体に取り付けられている。
【００３５】
第１の送風ファン１１Ａは、上下方向に開口した短筒状のファンケーシング５６ａ内の送風通路５６ｂに軸流ファン５６ｃを備えるとともに、保護枠４ａの底部側への吹出空気分流ダクト５６ｄを備えて構成されている。
【００３６】
ご飯を美味しく炊き上げるためには、昇温工程や昇温工程後の炊き上げ工程などの、飯米に十分に熱を通す高温、かつ高加熱出力が要求される炊飯工程で、内鍋３に対して可能な限り高い加熱出力を与えることが好ましい。
【００３７】
しかし、その場合において、内鍋３に局部的に高温になる部分があると、同部分での耐熱対策が必要となり、有効に加熱出力を増大させることができない。
【００３８】
ところが、上記のように内鍋３の発熱体Ｇ２，Ｇ１部分に直接冷却用の空気を第２，第３の送風ファン１１Ｂ，１１Ｃで送風することにより、上記局部的に高温になる発熱体Ｇ２，Ｇ１部分を冷却して、その熱を有効に回収し、逆に低温の側壁部３ｃ側に移送して作用させるようにすると、内鍋３全体の加熱温度を可及的に均一化し、加熱効率を向上させて、吹きこぼれ、焦げ付きを防止することができるとともに、さらに従来加熱不足であった内鍋３の側壁部３ｃへの加熱量を大きく増大させることができるようになり、より一層美味しいご飯を炊き上げることが可能となる。
【００３９】
この場合において、上記内鍋３の底部３ａ側から側壁部３ｃ側に移送される高温の空気は、内鍋開口縁部（フランジ部）３ｄの外周面まで流され、側壁部３ｃの全体を下端から上端まで効率良く加熱する。
【００４０】
さらに上記内ケース４の皿状の底壁部である保護枠４ａは、その底面部の中央部に内鍋３の底部３ａの温度を検知するサーミスタを内装した底センサー１８のセンサー部嵌合口が形成されているとともに、同センサー部嵌合口の外周側上面にはドーナツ状の遮熱板８が設けられている。また、その上端部４ｂ上の環状ダクト９部分には、所定幅の段部が設けられ、この段部部分に上記上部側筒状壁部４ｃの下端側が係合載置されている（図２参照）。
【００４１】
他方、同上部側筒状壁部４ｃの上端は、図示しない内枠部材を介して上記炊飯器本体側外ケース５上端の肩部材１０側に連結して固定されている。
【００４２】
また、上記内ケース４の上部側筒状壁部４ｃの外周には、上述のように炊飯および保温時において加熱手段として機能する保温ヒータＨ１が設けられており、炊飯時および保温時において上記内鍋３の側壁部３ｃの全周を有効かつ均一に加熱するようになっている。
【００４３】
（蓋体の構成）
一方、符号２は上述の蓋体であり、該蓋体２は、その最上面を構成するとともに、中央部の蒸気パイプ嵌合孔部分におねば戻し機能を有する蒸気パイプ（調圧ユニット）１４を備えた合成樹脂製の外カバー２ａと、該外カバー２ａの外周部に嵌合一体化して設けられた同じく合成樹脂製の内カバー２ｂと、該内カバー２ｂの外周部内に設けられた内枠部材２ｃと、該内枠部材２ｃの内側に設けられた金属製の放熱板２ｄと、該放熱板２ｄの上面に設けられた蓋ヒータＨ２と、上記放熱板２ｄの下方側に設けられた金属製の内蓋２ｅとを備えて構成されている。
【００４４】
また、放熱板２ｄの外周縁部下方および内蓋２ｅの外周縁部下方には、それぞれパッキンＰ１，Ｐ２が設けられており、内蓋２ｅは、パッキンＰ２を介して内鍋３の開口縁部３ｄの内側に傾斜した上面部に広く接触させられている。また、蒸気パイプ１４には、下方側放熱板２ｄの蒸気導入口部から上方側外カバー２ａの蒸気排出口１４ａに向けて相互にジグザグ構造に連通した蒸気排出通路２５が形成されている。そして、１４ｃは、同蒸気排出通路２５における調圧パイプ１４ｂ内の調圧弁（球体弁）、１４ｄはその下方側の弁口部を有する筒状の弁座部、１４ｅは同弁座部の下端に嵌合された調圧キャップである。
【００４５】
この蓋体２は、上記外ケース５の後壁上部の肩部材１０に対してヒンジ部（開放付勢用のコイルバネ４０を備えたヒンジ機構）３０を介して上下方向に回動自在に取付けられており、その開放端側（前端側）内周面には、該蓋体２に係合して当該蓋体２の上方への開放を係止する炊飯器本体１側ロック片１７ａのロック爪１７ｂが係合する係合部２ｇが設けられている。
【００４６】
そして、上記外ケース１の前壁５ａ側上部位置に設けられているロック機構アンロック操作部１７のＯＮ操作によって、同ロック片１７ａのロック爪１７ｂの蓋側係合部２ｇとの係合が解除されると、上述したヒンジ部３０部分のコイルバネ４０（蓋側係合片４１ａと本体側係合片４１ｂを有する）の付勢力によって、上記蓋体２が自動的に上方に開かれるようになっている。
【００４７】
また、符号１６は、上記内鍋３内の温度および沸騰状態を検知する蓋センサ（蒸気センサ）である。
【００４８】
この蓋センサ１６は上記内蓋２ｅの開口部に蒸気通路１６ｅを有した蒸気パイプ１６ｃを嵌合するとともに、同蒸気パイプ１６ｃ内の蒸気通路１６ｅ内に上方側放熱板２ｄ側に取付ホルダー１６ａおよび１６ｄを介して取り付けられている温度センサ１６ｂの先端を挿入する形で設けられている。この場合、上記同温度センサ１６ｂは、図示のように上方から下方に向けて長く延びる軸体状のものよりなり、その先端側センサ部（温度検知部）が、上記内鍋３の開口縁部３ｄよりも内側に臨んで設けられている。
【００４９】
一方、上記蓋体２の外カバー２ａの前部中央には、当該炊飯器の操作部および表示部を構成する操作パネル２０嵌合用の開口部が、また対応する内カバー２ｂ側には、同操作パネル２０嵌合用の凹溝部が形成されており、同開口部および凹溝部部分に外カバー２ａの外周面と連続する外周面を形成する形で、例えば透明なＡＢＳ樹脂製の操作パネル（銘板）２０が嵌合されてカバーされるようになっている。
【００５０】
該操作パネル２０は、そのパネル部裏側に所定の深さの基板および液晶パネル収納ボックス２ｆを備えてなり、上記外カバー２ａの開口部および内カバー２ｂの凹溝部内に嵌合して収納されている。そして、その中央部には液晶パネル２１の表示面に対応する透明窓（透明な表示窓）２０ａを有するとともに、同透明窓２０ａの周囲には、例えば図１、図３に示すように、タイマー炊飯用の炊飯予約スイッチ２２ｃ、炊飯スイッチ２２ａ、火かげんスイッチ２２ｈ、保温取消スイッチ２２ｄ、炊飯メニュー（例えば白米、早炊き、おこわ、おかゆ、玄米その他のコースメニュー）を指定するメニュースイッチ２２ｇ、お米選択スイッチ２２ｉ、時計及びタイマーの時刻時・分設定スイッチ２２ｂ、音声ガイド設定スイッチ２２ｅの各操作キー面部分が設けられている。
【００５１】
この操作キー面２２ａ〜２２ｉおよび上記透明窓２０ａは、例えば図５および図６に示すように、全体に亘って透明なＡＢＳ樹脂よりなる操作パネル２０の表面側に色の付いた非透明部２０ｐｂと色の付かない透明部２０ｐａとからなるＰＥＴ製の所定の厚さの印刷シート２０ｐを接着剤を介して一体に貼設することにより形成されており、同印刷シート２０ｐの非透明部２０ｐｂ部分に操作キー面２２ａ〜２２ｉが少し突出する形で、また透明部２０ｐａ部分に透明窓２０ａがフラットな形で形成されるようになっている。
【００５２】
この印刷シート２０ｐの表面には、さらに必要に応じて、傷をつきにくくするための透明なフィルムが貼られることもある。
【００５３】
一方、同操作パネル２０の裏側の上記基板および液晶パネル収納ボックス２ｆ内には、上記各操作スイッチの操作（設定）状態等表示制御機能、上記第１，第２のワークコイルＣ１，Ｃ２、保温ヒータＨ１、蓋ヒータＨ２各々への通電制御機能等を有するマイコン制御ユニットを備えた第２の電気基板（マイコン基板）Ｂ２とともに液晶パネル２１が設けられている。
【００５４】
第２の電気基板（マイコン基板）Ｂ２は、上記基板および液晶パネル収納ボックス２ｆ内の収納空間２４の底部側に位置して設置されており、その上部側に液晶パネル２１を支持している。
【００５５】
液晶パネル２１は、断面Ｈ型の液晶パネルホルダー２１ｂ内側の凹部２１ｅ部分に液晶ディスプレイ（液晶本体部分）２１ａを収納し、その上部側を透明カバー２１ｄで覆うとともにホルダー部下部の脚部２１ｃ，２１ｃを介して第２の電気基板Ｂ２上に固定されている。
【００５６】
そして、上記液晶ディスプレイ２１ａは、電源および信号配線２１ｆを介して第２の電気基板Ｂ２の所要部に接続されている。
【００５７】
一方、基板および液晶パネル収納ボックス２ｆは、上部を開放したボックス壁２９ａ側壁部の上端側に、例えば図５に示すようなシール用のゴム製パッキン２１ｇを備え、同ゴム製パッキン２１ｇを介して、上述の操作パネル２０の非透明部２０ｐｂ裏面側に当接せしめられており、それによって基板および液晶パネル収納ボックス２ｆ内を気密状態（密閉状態）にシールした状態で取り付けられるようになっている。
【００５８】
なお、上記液晶パネル２１の透明カバー２１ｄは、液晶ディスプレイ２１ａの表示面に対応する部分が透明で、その周囲には、例えば図３および図４に示すように、必要な文字表示部Ａ，Ｂ，Ｃが設けられている。なお、図４では、わかりやすくするためにシール用のゴム製パッキン２１ｇおよび液晶パネルホルダー２１ｂを除去した状態で示している。
【００５９】
そして、この実施の形態の場合、例えば図６に拡大して示すように、上記操作パネル２０の上記液晶パネル２１の透明カバー２１ｄに対応する範囲２０Ｗ部分（少なくとも透明窓２０ａ部分）のパネル厚さｔ２は、その他の周囲部分のパネル厚さｔ１よりも相対的に厚く形成されており、（ｔ２＞ｔ１）、さらに、その前後両側部分には左右両方向に亘って延びる第１，第２の低断熱部２０ｂ，２０ｃが設けられている。
【００６０】
この第１，第２の低断熱部２０ｂ，２０ｃのパネル厚さｔ３，ｔ４は、上記液晶パネル２１対応部の外周部部分のパネル厚さｔ１よりも一段と薄く凹溝状の薄肉部に形成され、同部分では外部との断熱性が特に低くなるように構成されている。
【００６１】
この実施の形態の場合、設置スペースの関係で、前側第１の低断熱部２０ｂの方が、後側第２の低断熱部２０ｃよりも幅が広く形成されているが、これは設置スペースが取れる限り、同じでも逆の関係でもかまわない。また、液晶パネル２１の左右両側で前後方向に延びるように形成してもかまわない。
【００６２】
そして、この実施の形態の場合にも、従来のように基板および液晶パネル収納ボックス２ｆ内の所望部位、例えば図３に示す液晶パネル２１の上端側左右両位置には、例えば図４に示すように、乾燥剤収納用の凹部４１，４１が形成されていて、その中にシリカゲル等の吸湿用の乾燥剤３０ａ，３０ｂが設けられていて、可能な限り基板および液晶パネル収納空間２４内の水分を吸着し、上述した操作パネル２０の透明窓２０ａ部分に曇りを生じさせないようになっている。
【００６３】
ところで、従来の構成の電気炊飯器の場合には、炊き上げ時の内鍋３からの沸とう熱、または上述した蓋ヒータＨ２からの熱によって、すでに述べたように、炊飯時に蓋体２下部の温度が高くなると、上記第２の電気基板Ｂ２や液晶パネル２１（液晶ディスプレイ２１ａ）を有する密閉された収納空間２４内の水分が蒸発し、液晶パネル２１の表示面に対応する透明窓２０ａ部分で外気により冷やされて曇り（結露）を生じる恐れがあった。そして、このような曇りが生じると、上記液晶パネル２１の透明カバー２１ｄの各種情報表示面Ａ〜Ｃの表示内容が見にくくなるだけでなく、操作パネル２０部分の見映えを悪くする。
【００６４】
このため、前述のように液晶パネル２１や第２の電気基板Ｂ２をゴム製パッキン２１ｇでシールされた密閉された収納空間２４内に密閉するとともに、基板および液晶パネル収納ボックス２ｆ内の所望部位、例えば図３に示す液晶パネル２１の上端側左右位置に、例えば図４に示すように、乾燥剤収納用凹部４１，４１を形成して、その中にシリカゲル等の吸湿用の乾燥剤３０ａ，３０ｂを設け、可能な限り基板および液晶パネル収納空間２４内の水分を吸着させて、上述した操作パネル２０の透明窓２０ａ部分に曇りを生じさせないようにしている。
【００６５】
しかし、単に液晶パネル２１や第２の電気基板Ｂ２を所定の密閉空間内に密閉し、同密閉空間内の水分を乾燥剤３０ａ，３０ｂで吸着させたとしても、一旦飽和状態まで吸着された水分は上記炊飯時の加熱によって再び脱着されて、上記密閉空間内に蒸発せしめられる。
【００６６】
したがって、結局のところ外部と密閉空間内部との温度差が小さい非炊飯時には有効であっても、外部と密閉空間内部との温度差が大きくなる炊飯時には有効に作用せず、曇りが解消されない。
【００６７】
ところが、この実施の形態の場合には、上記操作パネル２０の上記透明窓２０ａを除く部分に上記透明窓２０ａ部分よりも外部との断熱性の低い薄肉部よりなる低断熱部２０ｂ，２０ｃを設けており、上記透明窓２０ａ以外の断熱性の低い薄肉の低断熱部２０ｂ，２０ｃ部分で集中的に水分を凝縮させる一方、相対的に透明窓２０ａ部分の断熱性を高くして水分の凝縮が生じにくくなるようにし、上記透明窓２０ａ部分に「曇り」を生じさせないようにしている。
【００６８】
また、このような構成の場合、操作パネル２０部分の肉厚を変えるだけで簡単に構成することができるので、新たな部品や特別な２次加工も必要とせず、極めて低コストに実現することができる。
【００６９】
また、以上の構成の場合、乾燥剤３０ａ，３０ｂがなくても、十分に曇り防止効果を実現することができるようになり、より低コストになる。
【００７０】
（変形例）
なお、以上のＡＢＳ樹脂による薄肉部自体をなくして、ＰＥＴ製の印刷シート２０ｐのみによる低断熱部２０ｂ，２０ｃとすることも、もちろん可能である。
【００７１】
そのような構成にすると、上記低断熱部２０ｂ，２０ｃの断熱性が特に低くなるので、蒸発水分の凝縮性能が顕著に向上し、操作パネル２０の透明窓２０ａ部分の曇り防止性能が大きく向上する。
【００７２】
ただし、このような構成を採用した場合、印刷シート２０ｐ部分の強度、支持剛性が問題となるので、完全な開口とするのではなく、後述するようなグリル構造（図１２参照）とすることが好ましい。
【００７３】
＜実施の形態２＞
次に図７は、本願発明の実施の形態２に係る電気炊飯器の炊飯器本体の要部の構成を示している。
【００７４】
上述の実施の形態１の構成では、電気基板Ｂ２および液晶パネル２１を収納している基板および液晶パネル収納空間２４のみをシール用のゴム製パッキン２１ｇを介してシールすることにより、外気が入らない密閉空間に形成しているが、このような一重の密閉空間では未だ液晶パネル２１表示面部分のシール性が完全ではなく、湿度が高い外気が侵入する恐れがある。
【００７５】
その結果、曇りを発生させる可能性が残されている。
【００７６】
そこで、この実施の形態２の構成では、先ず実施の形態１と同じように第１のシール用のゴム製パッキン２０ｉを介して基板および液晶パネル収納ボックス２ｆ内を第１の密閉空間２４ａに形成するとともに、さらに液晶ホルダー２１ｂの外周囲の凸部壁（張出壁）に第２のシール用のゴム製パッキン２１ｉを設け、この第２のシール用のゴム製パッキン２１ｉに対して操作パネル２０の裏面側に設けた仕切用のリブ（仕切壁）２８を圧接させて取り付けることにより、液晶パネル２１の上面側空間を第２の密閉空間２４ｂに形成し、第１の密閉空間２４ａ内に、さらにシール性の高い第２の密閉空間２４ｂを形成することにより、液晶パネル２１表示面部分の気密性を特に高く維持できるようにしたことを特徴とするものである。
【００７７】
そして、その場合において、上記実施の形態１のものと同様に、第２の密閉空間２４ｂ内の印刷シート２０ｐ下方側の操作パネル２０裏面部分に透明窓２０ａよりも肉厚の薄い水分凝縮作用促進用の低断熱部２０ｂ，２０ｃを形成することによって、透明窓２０ａ部分に曇りを生じさせないようにしている。
【００７８】
このような構成の場合、第２の密閉空間が密閉空間内の密閉空間となって、一段とシール性能が高くなり、該特にシール性能の高い第２の密閉空間２４ｂ内に液晶パネル２１の表示面側が収納される結果、第２の密閉空間２４ｂ内の湿度が一層低くなり、少々の加熱では透明窓２０ａ部分に曇りが生じにくくなる。
【００７９】
しかも、仮に或る程度の水分の蒸発による湿度の上昇があっても、同湿度の上昇による水分の凝縮は、上記第２の密閉空間２４ｂ内の薄肉の低断熱部２０ｂ，２０ｃのみで集中的に生じるために、透明窓２０ａ部分には全く曇りを生じさせなくて済む。
【００８０】
なお、この実施の形態では、基板および液晶パネル収納ボックス２ｆのボックス壁２９ａの側壁部に断面Ｕ状の操作パネル嵌合溝（嵌合壁）２９ｂを設け、この嵌合溝２９ｂ内に第１のシール用ゴム製パッキン２０ｉを介して操作パネル２０の周縁部２０ｇが気密に嵌合されている。
【００８１】
＜実施の形態３＞
次に図８は、本願発明の実施の形態３に係る電気炊飯器の炊飯器本体の要部の構成を示している。
【００８２】
上記実施の形態１，２の構成では、操作パネル２０の透明窓２０ａ部分を特別に肉厚にして断熱性を高くする一方、それ以外の部分に特別に断熱性が低い薄肉の低断熱部２０ｂ，２０ｃを作って、同薄肉の低断熱部２０ｂ，２０ｃ部分に集中的に水分を凝縮させるようにしているが、この実施の形態では、さらに上記低断熱部２０ｂ，２０ｃ部分に銅材などの極めて伝熱性の高い金属部材２６ａ，２６ｂを埋め込み、同部分全体としては見掛上の厚さを変えることなく、断熱性を低くして集中的に水分の凝縮を促進させるようにしたことを特徴とするものである。
【００８３】
このような構成によっても、やはり同様の作用で透明窓２０ａ部分の曇りを防止することができる。
【００８４】
（変形例）
なお、以上のように、部分的な薄肉部を形成して、同薄肉部部分に金属部材２６ａ，２６ｂを埋め込むのに変えて、例えば同パネル部裏面に伝熱性の高い金属シートを部分的にインサート成型することにより、同様にして水分の凝縮部を形成するようにしてもよい。
【００８５】
＜実施の形態４＞
次に図９は、本願発明の実施の形態４に係る電気炊飯器の炊飯器本体の要部の構成を示している。
【００８６】
この実施の形態４の場合にも、操作パネル２０の透明窓２０ａ部分以外の部分に外部との断熱性が低い水分の凝縮作用促進部を形成する点は以上の各実施の形態のものと同じである。
【００８７】
しかし、この実施の形態４のものでは、薄肉とした低断熱部２０ｂ，２０ｃの部分に、さらに放熱フィン２７ａ，２７ｂを設けて、より冷却性能を高くし、より効果的に凝縮作用が促進されるようにしたことを特徴とするものである。
【００８８】
このような構成によっても、上述の各実施の形態のものと同様の曇り防止作用を得ることができる。
【００８９】
＜実施の形態５＞
次に図１０および図１１は、それぞれ本願発明の実施の形態５に係る電気炊飯器の炊飯器本体の要部の構成を示している。
【００９０】
すでに述べたように、基板および液晶パネル収納ボックス２ｆ内には、例えば図１０に示すように、液晶パネル２１上端の左右両側に位置して乾燥剤３０ａ，３０ｂが設けられている。
【００９１】
そして、炊飯時の内鍋３内の沸とう熱および蓋ヒータＨ２の熱によって乾燥剤３０ａ，３０ｂ部分が加熱され、同乾燥剤３０ａ，３０ｂ内に吸着されていた水分が脱着蒸発することによって、密閉された基板および液晶パネル収納空間２４内の湿度が上がり、これが操作パネル２０の透明窓２０ａ部分で外気により冷やされて透明窓２０ａの内面側に曇りを発生させる。
【００９２】
そして、以上の各実施の形態では、これを印刷シート２０ｐに覆われた透明窓２０ａ以外の部分に薄肉部その他の構成による低断熱部を形成することによって、局部的に凝縮作用を促進させ、そこで集中的に結露を生じさせることによって、透明窓２０ａ部分には曇りが生じないようにしている。
【００９３】
ところで、この間の曇りの発生状況を色々実験により確認して見ると、当然ながら乾燥剤３０ａ，３０ｂに近い透明窓２０ａ部分に濃い曇りが発生することが分った。
【００９４】
そこで、この実施の形態では、例えば図１１に示すように、上述のものと同様の薄肉部よりなる低断熱部２０ｄを乾燥剤３０ａ，３０ｂの真上に対向させて設けることにより、乾燥剤３０ａ，３０ｂから蒸発した水分が基板および液晶パネル収納ボックス２ｆ内の密閉された空間２４全体に広がる前に速やかに凝縮させるようにしたことを特徴とするものである。
【００９５】
このような構成によると、実験結果でも、略完全に透明窓２０ａ部分に発生する曇りを解消することができた。
【００９６】
なお、これと同様の構成は、決して図１１に示すような薄肉部によって低断熱部２０ｄを形成する場合に限らず、上述した実施の形態３，４および後述する実施の形態６などの構成による場合にも全く同様に適用することができる。
【００９７】
＜実施の形態６＞
次に図１３は、本願発明の実施の形態６に係る電気炊飯器の炊飯器本体の要部の構成を示している。
【００９８】
上記実施の形態５のように、乾燥剤３０ａ，３０ｂの真上に薄肉部等よりなる低断熱部２０ｄを設けると、有効に透明窓２０ａ部分の曇りを解消することができる。
【００９９】
これと同様の構成は、何も薄肉部によって低断熱部を形成する場合に限らず、例えば図１２に示すように、乾燥剤３０ａ，３０ｂに対向する操作パネル２０部分をグリル構造（クロス格子構造又は平行スリット構造、あるいは複数の円形孔構造）として、部分的に印刷シート２０ｐのみの部分を形成することによって実現してもよい。
【０１００】
このような構成によると、グリル構造の低断熱部２０ｅ部分の断熱性が特に低くなり、印刷シート２０ｐに伝熱性の高い部材を採用すると、同部分を略外気温度と等しい状態にすることができるようになり、極めて高い凝縮作用を実現することができる。
【０１０１】
しかも、同構成では、上記低断熱部２０ｅ部分がグリル構造となっているため、凝縮した水滴がグリル部の各孔部周壁又は孔部部分に表面張力によって付着滞留し、下方に落下しにくいので、落下水分が再び蒸発されることもないので、より曇りが生じにくくなる。
【０１０２】
また、印刷シート２０ｐ部分の強度もそのまま維持される。
【０１０３】
なお、このようなグリル構造の低断熱部構造は、例えば上述の実施の形態１や実施の形態２の薄肉部構造に代えて適用することも可能である。
【０１０４】
＜実施の形態７＞
次に図１３および図１４は、本願発明の実施の形態７に係る電気炊飯器の炊飯器本体の要部の構成を示している。
【０１０５】
上述のように、基板および液晶パネル収納ボックス２ｆ内には、例えば図１３，図１４に示すように、液晶パネル２１上端の左右両側に位置して乾燥剤３０ａ，３０ｂが設けられている。
【０１０６】
そして、炊飯時の内鍋３内の沸とう熱および蓋ヒータＨ２の熱によって、同乾燥剤３０ａ，３０ｂ部分が加熱され、同乾燥剤３０ａ，３０ｂ内に吸着されていた水分が脱着蒸発することによって、密閉空間２４内の湿度が上がり、これが操作パネル２０の透明窓２０ａ部分で外気により冷やされて透明窓２０ａの内面側に曇りを発生させる。
【０１０７】
これは、上述の乾燥剤３０ａ，３０ｂが飽和状態まで水分を吸湿している状態で、脱着温度まで加熱されることにより折角吸着している水分が脱着蒸発されることによる。
【０１０８】
そこで、この実施の形態では、例えば図１３および図１４に示すように、乾燥剤３０ａ，３０ｂの表面に所定幅のシール部材（テープ等）４２を貼り、乾燥剤３０ａ，３０ｂの実質的な吸脱着面積（開口面積）を小さくし、それによって水分吸着時の飽和時間を長くし、吸着性能の長期に亘る保持を図るとともに、吸着能力保持後の吸着水分の脱着能力を制限し、脱着温度に達しても多量の水分を短時間で放出することがないようにしている。
【０１０９】
このような構成によると、吸湿機能が長期に亘って保持され、簡単に飽和しないこと、また飽和したとしても、飽和状態まで吸着されている水分が徐々にしか脱着されないことにょって、炊飯時に周囲温度が高くなったとしても、急には液晶パネル２１周囲の湿度は上昇せず、長時間に亘って徐々にしか上昇しないようになる。
【０１１０】
その結果、収納空間内全体としての湿度上昇が低く、かつ均一になり、乾燥剤３０ａ，３０ｂ付近で集中的に高く上昇して、透明窓２０ａ部分に部分的に濃い曇りを発生させる現象が確実に解消されるとともに、全体に亘って生じる薄い曇りも生じなくなる。
【０１１１】
これらの作用効果は、実験の結果でも、確実に立証された。
【０１１２】
（変形例）
なお、以上のようなシール材（テープ等）４２による乾燥剤３０ａ，３０ｂの吸脱着面積の制限に加えて、また同制限とは別に上記乾燥剤３０ａ，３０ｂと液晶パネル２１との間に迂回用の仕切壁を設け、上記乾燥剤３０ａ，３０ｂから脱着された水分が直ぐには透明窓２０ａ側には移動せず、遠回りして透明窓２０ａ側に移動せざる得ないようにすることもできる。
【０１１３】
このようにすると、乾燥剤３０ａ，３０ｂから出た水分が遠回りしている間に低湿度状態に薄まってしまい、透明窓２０ａ部分で冷やされても殆ど曇りを生ぜしめないようになる。
【０１１４】
＜実施の形態８＞
さらに図１５は、本願発明の実施の形態８に係る電気炊飯器の炊飯器本体の要部の構成を示している。
【０１１５】
この実施の形態８は、例えば図１５に示すように、前述の各実施の形態におけるＰＥＴ製の印刷シート２０ｐのＡＢＳ製の操作パネル２０側透明窓２０ａに対応する透明部２０ｐａ部分のみを他の部分とは異なって接着剤を用いることなく貼り付けており、それによって同印刷シート２０ｐの透明部２０ｐａ部分と操作パネル２０の透明窓２０ａ部分との間に断熱空気層Ｗを形成することにより、操作パネル２０の透明窓２０ａ部分の断熱性をさらに向上させ、より曇りを生じにくくしたことを特徴とするものである。
【０１１６】
その他の構成は、上述の各実施の形態のものと全く同一であり、同一の作用効果を奏する。
【０１１７】
なお、図１５では、便宜上低断熱部の例として、実施の形態１と同様の薄肉部による構成の場合２０ｂ，２０ｃで示しているが、上述した各種実施の形態の内の何れの実施の形態の構成（例えば図８の２０ｂ＋２６ａ，２０ｃ＋２６ｂ、図９の２０ｂ＋２７ａ，２０ｃ＋２７ｂ、図１１の２０ｄ、図１２の２０ｅなど）の採用（組み合わせ）も可能である。
【０１１８】
（変形例１）
なお、この実施の形態では、上述のように、当該印刷シート２０ｐの透明部２０ｐａ部分の断熱空気層Ｗに加えて、薄肉部による低断熱部２０ｂ，２０ｃなどを組み合わせて構成しているが、これは単に断熱空気層Ｗのみによる構成でも十分に有効である。
【０１１９】
（変形例２）
また、以上のように構成した場合において、上記表面側ＰＥＴ製印刷シート２０ｐの透明部２０ｐａ部分に全く接着剤を使用することなく展張させたとすると、一定の厚さの有効な断熱層の形成が難しく、また素材の質によっては周囲温度との関係で若干熱膨張し、時間の経過によって弛み（反りなど）を生じる可能性もある。
【０１２０】
そこで、その対応策として、可能な限り熱膨張性の低いタイプの素材を選択するようにし、また好ましくは、全体に接着剤を用いないまでも、部分的にピンポイントで接着剤を使用することなどにより、全体に亘って均一な厚さの断熱空気層を形成するとともに、殆ど弛み（反り）を生じさせることなく、有効な断熱空気層を形成することができるようにする。
【符号の説明】
【０１２１】
１は炊飯器本体、２は蓋体、２ｆは基板および液晶パネル収納ボックス、３は内鍋、２０は操作パネル、２０ａは透明窓、２０ｂ，２０ｃ，２０ｄ，２０ｅは低断熱部、２０ｐは印刷シート、２０ｐａは透明部、２１は液晶パネル、２１ａは液晶ディスプレイ、２１ｂは液晶ホルダー、３０ａ，３０ｂは乾燥剤である。
【図１】
0005768458.tif 000002
【図２】
0005768458.tif 000003
【図３】
0005768458.tif 000004
【図４】
0005768458.tif 000005
【図５】
0005768458.tif 000006
【図６】
0005768458.tif 000007
【図７】
0005768458.tif 000008
【図８】
0005768458.tif 000009
【図９】
0005768458.tif 000010
【図１０】
0005768458.tif 000011
【図１１】
0005768458.tif 000012
【図１２】
0005768458.tif 000013
【図１３】
0005768458.tif 000014
【図１４】
0005768458.tif 000015
【図１５】
0005768458.tif 000016